(57)【要約】【課題】トイレットペーパーを複数回巻き取った状態でロールから切り取る操作を片手のみで行うことができるトイレットペーパーホルダーの提供。【解決手段】本体部２の下方に引き出されたペーパー１２を巻き取る巻取装置４を備え、該巻取装置４は、手回しハンドル４１により回転可能な状態に支持された板状巻取部４２を備え、板状巻取部４２はその両端より突出した右側の枢軸４３が手回しハンドル４１側の回転支持部４１ａに対し前後方向に着脱自在に構成され、左側の枢軸４４は略垂直に立設されていて前後方向へ回動自在に設けられた回転支持軸４１ａに対し回転自在に支持され、板状巻取部４２には引き出したペーパー１２の先端部を挟持する挟持手段６を備え、板状巻取部４２における手回しハンドル４１ａ側には板状巻取部４２に巻き取られたペーパー１２を摘んで側方へ引き抜くための切欠部４６が形成され、上蓋３と本体部２との間には、上蓋３の下向き回動は許すが上向き回動を阻止する逆転阻止手段５を備える。【選択図】      図２
2013169383.tif 000002
【特許請求の範囲】
【請求項１】
ロール形トイレットペーパーを、芯を横にして回転自在に保持する本体部と、ロールから引き出したトイレットペーパーを切り取るためのノコ刃状カッター刃を先端に有し基部を中心として上下回動自在な上蓋とを備えたトイレットペーパーホルダーであって、
前記本体部の下方に引き出されたトイレットペーパーを巻き取る巻取装置を備え、該巻取装置は、手回しハンドルにより回転可能な状態に支持された板状巻取部を備え、該板状巻取部はその両端より突出した一方の枢軸が前記手回しハンドル側の回転支持部に対し前後方向に着脱自在に構成され、もう一方の枢軸は略垂直に立設されていて前後方向へ回動自在に設けられた回転支持軸に対し回転自在に支持され、
前記板状巻取部には引き出したトイレットペーパーの先端部を挟持する挟持手段を備え、
前記板状巻取部における手回しハンドル側には該板状巻取部に巻き取られたトイレットペーパーを摘んで側方へ引き抜くための切欠部が形成され、
前記上蓋と本体部との間には、上蓋の下向き回動は許すが上向き回動を阻止する逆転阻止手段を備えることを特徴とするトイレットペーパーホルダー。
【請求項２】
請求項１に記載のトイレットペーパーホルダーにおいて、
前記板状巻取部は回転支持軸側より手回しハンドル側が幅狭に形成されていることを特徴とするトイレットペーパーホルダー。
【請求項３】
請求項１又は２に記載のトイレットペーパーホルダーにおいて、
前記ロール形トイレットペーパーの芯を装着する回転軸に手回しハンドルを備えることを特徴とするトイレットペーパーホルダー。
【発明の詳細な説明】
【技術分野】
【０００１】
本発明は、トイレットペーパーホルダーに関する
【背景技術】
【０００２】
従来のトイレットペーパーホルダーは、ホルダーから下方へ引き出したトイレットペーパーを両手を使って複数回巻き取った後、片手でカバーを押さえた状態で、他方の手でトイレットペーパーをロールから切断して使用するのが基本である（例えば、特許文献１）。
【先行技術文献】
【特許文献】
【０００３】
【特許文献１】特開２０１１−１２０８４０号公報
【発明の概要】
【発明が解決しようとする課題】
【０００４】
しかしながら、従来の構造では、上述のように、片手による操作は困難な構造であったため、怪我等で両手を使えない人にとっては極めて使い勝手が悪いという問題があった。
【０００５】
本発明の解決しようとする課題は、トイレットペーパーを複数回巻き取った状態でロールから切り取る操作を片手のみで行うことができるトイレットペーパーホルダーを提供することにある。
【課題を解決するための手段】
【０００６】
上記課題を解決するため請求項１記載のトイレットペーパーホルダーは、ロール形トイレットペーパーを、芯を横にして回転自在に保持する本体部と、ロールから引き出したトイレットペーパーを切り取るためのノコ刃状カッター刃を先端に有し基部を中心として上下回動自在な上蓋とを備えたトイレットペーパーホルダーであって、
前記本体部の下方に引き出されたトイレットペーパーを巻き取る巻取装置を備え、該巻取装置は、手回しハンドルにより回転可能な状態に支持された板状巻取部を備え、該板状巻取部はその両端より突出した一方の枢軸が前記手回しハンドル側の回転支持部に対し前後方向に着脱自在に構成され、もう一方の枢軸は略垂直に立設されていて前後方向へ回動自在に設けられた回転支持軸に対し回転自在に支持され、
前記板状巻取部には引き出したトイレットペーパーの先端部を挟持する挟持手段を備え、
前記板状巻取部における手回しハンドル側には該板状巻取部に巻き取られたトイレットペーパーを摘んで側方へ引き抜くための切欠部が形成され、
前記上蓋と本体部との間には、上蓋の下向き回動は許すが上向き回動を阻止する逆転阻止手段を備えることを特徴とする。
【０００７】
また、請求項２記載のトイレットペーパーホルダーは、請求項１に記載のトイレットペーパーホルダーにおいて、
前記板状巻取部は回転支持軸側より手回しハンドル側が幅狭に形成されていることを特徴とする。
【０００８】
また、請求項３記載のトイレットペーパーホルダーは、請求項１又は２に記載のトイレットペーパーホルダーにおいて、
前記ロール形トイレットペーパーの芯を装着する回転軸に手回しハンドルを備えることを特徴とする。
【発明の効果】
【０００９】
請求項１記載のトイレットペーパーホルダーでは、上述のように構成されるため、まず、片手で本体部の下方に引き出されたトイレットペーパーの先端を板状巻取部に備えた挟持手段で挟持させた状態で、手回しハンドルを片手で回して板状巻取部にトイレットペーパーを所定回数巻き取った後、片手で板状巻取部の枢軸の一方を手回しハンドル側の回転支持部から前方へ向けて脱却させて、板状巻取部を回転支持軸を中心として前側へ回動させた状態で、板状巻取部の切欠部において巻き取られたトイレットペーパーの一旦を親指と人差し指で摘んで側方へ引くことにより、巻き取られたトイレットペーパーを板状巻取部から引き抜くことができる。
そこで、板状巻取部から引き抜かれた巻き取られたトイレットペーパーを上向きに持ち上げることにより、逆転阻止手段で上蓋の上向き回転が阻止されているため、上蓋を押さえることなしに片手で巻き取られたトイレットペーパーをノコ刃状カッター刃で容易に切り取ることができる。
以上のように、請求項１記載のトイレットペーパーホルダーにあっては、トイレットペーパーを複数回巻き取った状態でロールから切り取る操作を片手のみで行うことができるようになる。
【００１０】
請求項２記載のトイレットペーパーホルダーでは、上述のように、板状巻取部は回転支持軸側より手回しハンドル側が幅狭に形成されることで、板状巻取部から巻き取られたトイレットペーパーの抜き取りをスムーズに行えるようになる。
【００１１】
請求項３記載のトイレットペーパーホルダーでは、上述のように、ロール形トイレットペーパーの芯を装着する回転軸に手回しハンドルを備えることで、トイレットペーパーの先端を上蓋の先端から容易に引き出すことができるようになる。
【図面の簡単な説明】
【００１２】
【図１】実施例１のトイレットペーパーホルダーを示すトイレットペーパー装着前の状態を示す斜視図である。
【図２】トイレットペーパーを装着した状態を示す斜視図である。
【図３】トイレットペーパーを装着した状態を示す正面図である。
【図４】トイレットペーパーを装着した状態を示す左側面図である。
【図５】トイレットペーパーを装着した状態を示す右側面図である。
【図６】板状巻取部を示す正面図である。
【図７】板状巻取部を示す斜視図である。
【図８ａ】実施例１のトイレットペーパーホルダーの使用状態を示す工程説明図である。
【図８ｂ】実施例１のトイレットペーパーホルダーの使用状態を示す工程説明図である。
【図８ｃ】実施例１のトイレットペーパーホルダーの使用状態を示す工程説明図である。
【図８ｄ】実施例１のトイレットペーパーホルダーの使用状態を示す工程説明図である。
【図８ｅ】実施例１のトイレットペーパーホルダーの使用状態を示す工程説明図である。
【図８ｆ】実施例１のトイレットペーパーホルダーの使用状態を示す工程説明図である。
【発明を実施するための形態】
【００１３】
以下にこの発明の実施例を図面に基づいて説明する。
【実施例１】
【００１４】
まず、この実施例１のトイレットペーパーホルダーの構成を図１〜図７に基づいて説明する。
【００１５】
この実施例１のトイレットペーパーホルダーは、ロール形トイレットペーパー１を、円筒状の芯１１を横にして回転自在に保持する本体部２と、ロールから引き出したトイレットペーパー１２を切り取るためのノコ刃状カッター刃３ａを先端に有し基部を中心として上下回動自在な上蓋３と、本体部２の下方に引き出されたトイレットペーパー１２を巻き取る巻取装置４と、上蓋３の逆転阻止手段５と、を主な構成として備える。
【００１６】
さらに詳述すると、巻取装置４は、手回しハンドル４１により回転可能な状態に支持された板状巻取部４２を備え、該板状巻取部４２はその両端より突出した右側の枢軸４３が手回しハンドル４１側の回転支持部４１ａに対し前後方向に着脱自在に構成され、左側の枢軸４４は、略垂直に立設されていて前後方向へ回動自在に設けられた回転支持軸４５に対し回転自在に支持されている。
【００１７】
回転支持部４１ａは、断面コ時状に形成され、このコ時状底部に永久磁石が埋め込まれる一方、右側の枢軸４３はコ次状部に対し回転不能な状態に差込係止される板状で、磁性金属が組み込まれていて、永久磁石の弱い磁力により連結係止されている。
【００１８】
また、板状巻取部４２には引き出したトイレットペーパー１２の先端部を挟持する挟持手段６を備える。この挟持手段６は板状で、板状巻取部４２の一方の面に対し下端側を中心として前後方向に開閉可能に設けられ、挟持手段６の上端側と板状巻取部４２との対抗面には、互いに磁着する板状永久磁石６１、６１が備えられている。
【００１９】
また、板状巻取部３２における手回しハンドル４１側には該板状巻取部４２に巻き取られたトイレットペーパー１２を摘んで側方へ引き抜くための切欠部４６が形成されている。
【００２０】
また、板状巻取部４２は、板状巻取部４２に巻き取られたトイレットペーパー１２を板状巻取部４２からスムーズに引き抜けるように、回転支持軸４５側より切欠部４６が形成された手回しハンドル４１側が幅狭（Ｈ１＞Ｈ２）に形成されている。
【００２１】
逆転阻止手段５は、上蓋３の下向き回動は許すが上向き回動を阻止する役目をなすもので、本体部２側に設けた係止爪５１と、上蓋３から前後方向揺動可能に垂下されていて、上蓋３の上向き回転方向においてのみ係止爪５１に係合するノコ刃状係合バー５２とで構成されている。
【００２２】
また、ロール形トイレットペーパー１の芯１１を装着する回転軸２１に手回しハンドル２２を備えている。
また、回転軸２１は、本体部２に対し上方から落とし込む状態で本体部２に対し回転自在に支持されるようになっている。
【００２３】
次に、この実施例１の作用・効果を説明する。
この実施例１のトイレットペーパーホルダーでは、上述のように構成されるため、まず、図２に示す状態から、必要により手回しハンドル２２を用い、図８ａ、８ｂに示すように、片手で本体部２の下方に引き出されたトイレットペーパー１２の先端を板状巻取部４２に備えた挟持手段６で挟持させた状態で、図８ｃに示すように、手回しハンドル４１を片手で回して板状巻取部４２にトイレットペーパー１２を所定回数巻き取る。
次に、図８ｄに示すように、片手で板状巻取部４２の右側の枢軸４３を手回しハンドル４１側の回転支持部４１ａから前方へ向けて脱却させて、板状巻取部４２を回転支持軸４１ａを中心として前側へ回動させた状態で、図８ｅに示すように、板状巻取部４２の切欠部４６において巻き取られたトイレットペーパー１２の一旦を親指と人差し指で摘んで側方へ引くことにより、巻き取られたトイレットペーパー１２を板状巻取部４２から引き抜くことができる。
そこで、図８ｆに示すように、板状巻取部４２から引き抜かれた巻き取られたトイレットペーパー１２を上向きに持ち上げることにより、逆転阻止手段５で上蓋３の上向き回転が阻止されているため、上蓋３を押さえることなしに片手で巻き取られたトイレットペーパー１２をノコ刃状カッター刃３ａで容易に切り取ることができる。
以上のように、この実施例１のトイレットペーパーホルダーにあっては、トイレットペーパーを複数回巻き取った状態でロールから切り取る操作を片手のみで行うことができるようになる。
【００２４】
また、板状巻取部４２は回転支持軸４１ａ側より手回しハンドル４１側が幅狭に形成されることで、板状巻取部４２から巻き取られたトイレットペーパー１２の抜き取りがスムーズに行えるようになる。
【００２５】
また、ロール形トイレットペーパー１の芯１１を装着する回転軸２１に手回しハンドル２２を備えることで、トイレットペーパー１２の先端を上蓋３の先端から容易に引き出すことができるようになる。
【００２６】
以上本実施例を説明してきたが、本発明は上述の実施例に限られるものではなく、本発明の要旨を逸脱しない範囲の設計変更等があっても、本発明に含まれる。
【００２７】
例えば、実施例では、木製の試作品を例にとったが、素材は任意である。
【００２８】
また、実施例では、逆転阻止手段５として、本体部２側に設けた係止爪５１と、上蓋３から前後方向揺動可能に垂下されていて、上蓋３の上向き回転方向においてのみ係止爪５１に係合するノコ刃状係合バー５２とで構成した例を示したが、この構成には限られず、その他に、例えば、上蓋３に重りを設けたり、上蓋３を常時下方へ回動するように付勢する付勢手段を備えるようにしても良い。
【００２９】
また、実施例では、挟持手段６として、互いに磁着する板状永久磁石６１、６１の磁力を用いたが、その他に例えばパネ力等を用いることができる。
【符号の説明】
【００３０】
１  ロール形トイレットペーパー
１１  芯
１２  トイレットペーパー
２  本体部
２１  回転軸
２２  手回しハンドル
３  上蓋
３ａ  ノコ刃状カッター刃
４  巻取装置
４１  手回しハンドル
４１ａ  回転支持部
４２  板状巻取部
４３  右側の枢軸
４４  左側の枢軸
４５  回転支持軸
４６  切欠部
５  逆転阻止手段
５１  係止爪
５２  ノコ刃状係合バー
６  挟持手段
６１  板状永久磁石
【図１】
2013169383.tif 000003
【図２】
2013169383.tif 000004
【図３】
2013169383.tif 000005
【図４】
2013169383.tif 000006
【図５】
2013169383.tif 000007
【図６】
2013169383.tif 000008
【図７】
2013169383.tif 000009
【図８ａ】
2013169383.tif 000010
【図８ｂ】
2013169383.tif 000011
【図８ｃ】
2013169383.tif 000012
【図８ｄ】
2013169383.tif 000013
【図８ｅ】
2013169383.tif 000014
【図８ｆ】
2013169383.tif 000015
【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
ロール形トイレットペーパーを、芯を横にして回転自在に保持する本体部と、ロールから引き出したトイレットペーパーを切り取るためのノコ刃状カッター刃を先端に有し基部を中心として上下回動自在な上蓋とを備えたトイレットペーパーホルダーであって、
前記本体部の下方に引き出されたトイレットペーパーを巻き取る巻取装置を備え、該巻取装置は、手回しハンドルにより回転可能な状態に支持された板状巻取部を備え、該板状巻取部はその両端より突出した一方の枢軸が前記手回しハンドル側の回転支持部に対し前後方向に着脱自在に構成され、もう一方の枢軸は略垂直に立設されていて板状巻取部の一方の枢軸を前後方向へ回動自在にするよう設けられた回転支持軸に対し回転自在に支持され、
前記板状巻取部には引き出したトイレットペーパーの先端部を挟持する挟持手段を備え、
前記板状巻取部における手回しハンドル側には該板状巻取部に巻き取られたトイレットペーパーを摘んで側方へ引き抜くための切欠部が形成され、
前記上蓋と本体部との間には、上蓋の下向き回動は許すが上向き回動を阻止する逆転阻止手段を備えることを特徴とするトイレットペーパーホルダー。
【請求項２】
請求項１に記載のトイレットペーパーホルダーにおいて、
前記板状巻取部は回転支持軸側より手回しハンドル側が幅狭に形成されていることを特徴とするトイレットペーパーホルダー。
【請求項３】
請求項１又は２に記載のトイレットペーパーホルダーにおいて、
前記ロール形トイレットペーパーの芯を装着する回転軸に手回しハンドルを備えることを特徴とするトイレットペーパーホルダー。
【手続補正２】
【補正対象書類名】明細書
【補正対象項目名】０００６
【補正方法】変更
【補正の内容】
【０００６】
上記課題を解決するため請求項１記載のトイレットペーパーホルダーは、ロール形トイレットペーパーを、芯を横にして回転自在に保持する本体部と、ロールから引き出したトイレットペーパーを切り取るためのノコ刃状カッター刃を先端に有し基部を中心として上下回動自在な上蓋とを備えたトイレットペーパーホルダーであって、
前記本体部の下方に引き出されたトイレットペーパーを巻き取る巻取装置を備え、該巻取装置は、手回しハンドルにより回転可能な状態に支持された板状巻取部を備え、該板状巻取部はその両端より突出した一方の枢軸が前記手回しハンドル側の回転支持部に対し前後方向に着脱自在に構成され、もう一方の枢軸は略垂直に立設されていて板状巻取部の一方の枢軸を前後方向へ回動自在にするよう設けられた回転支持軸に対し回転自在に支持され、
前記板状巻取部には引き出したトイレットペーパーの先端部を挟持する挟持手段を備え、
前記板状巻取部における手回しハンドル側には該板状巻取部に巻き取られたトイレットペーパーを摘んで側方へ引き抜くための切欠部が形成され、
前記上蓋と本体部との間には、上蓋の下向き回動は許すが上向き回動を阻止する逆転阻止手段を備えることを特徴とする。
【手続補正３】
【補正対象書類名】明細書
【補正対象項目名】００１６
【補正方法】変更
【補正の内容】
【００１６】
さらに詳述すると、巻取装置４は、手回しハンドル４１により回転可能な状態に支持された板状巻取部４２を備え、該板状巻取部４２はその両端より突出した右側の枢軸４３が手回しハンドル４１側の回転支持部４１ａに対し前後方向に着脱自在に構成され、左側の枢軸４４は、略垂直に立設されていて前後方向へ回動自在にするよう設けられた回転支持軸４５に対し回転自在に支持されている。